(57)【特許請求の範囲】
【請求項１】
ユニットベース上に圧縮機や凝縮器を配設して成る冷却ユニットを、断熱箱体の天面に設置して成る冷却貯蔵庫において、
前記冷却ユニット上を覆うためのユニットカバーと、このユニットカバーの下縁部に設けられた取付部材と、該取付部材の上端を前記ユニットカバー側に折り返して形成された保持部と、前記ユニットベースの周縁部に形成された上向きのフランジとを備え、前記ユニットカバーを、前記ユニットベースの上方から被せると共に、前記保持部の下端に前記フランジの上端を当接させ、その状態で前記取付部材と前記ユニットカバー下縁部とで前記フランジを挟持することにより、当該ユニットカバーを前記ユニットベースに取り付けたことを特徴とする冷却貯蔵庫。
【請求項２】
ユニットカバーの下端は断熱箱体の天面から離間して取り付けられることを特徴とする請求項１の冷却貯蔵庫。
【請求項３】
取付部材の下部はユニットカバーから徐々に離間するよう傾斜して屈曲されていることを特徴とする請求項１又は請求項２の冷却貯蔵庫。
【発明の詳細な説明】
【０００１】
【産業上の利用分野】
本発明は、ユニットベース上に圧縮機や凝縮器を配設して成る冷却ユニットを断熱箱体の天面に設置する冷却貯蔵庫に関するものである。
【０００２】
【従来の技術】
従来よりこの種冷却貯蔵庫は、例えばプレハブ冷蔵庫（冷凍・冷蔵庫）や業務用冷却貯蔵庫であり、断熱板によって構成されるユニットベース上に圧縮機、凝縮器を配設すると共に、ユニットベースの下面には、冷却器を配設することにより構成させる冷却ユニットを設けている。そして、断熱箱体によって構成される冷却貯蔵庫の天井面には開口が形成されており、係る開口を塞ぐ形でユニットベースが載置されている。この冷却ユニットによって断熱箱体内に形成された貯蔵室内を冷却している。
【０００３】
【発明が解決しようとする課題】
しかしながら、従来の冷却貯蔵庫では、ユニットベース上に配設される圧縮機及び凝縮器等は外部に剥き出しの状態で設置されるため、ユニットベース上にネズミ等の小動物が侵入し、この小動物が冷却ユニット内の電気配線等をかじることにより、冷却貯蔵庫に不具合が生ずるおそれがある。
【０００４】
そこで、本発明は従来の技術的課題を解決するために成されたものであり、ユニットベース上の冷却ユニット内にネズミなどの小動物が侵入することを防止することができる冷却貯蔵庫を提供することを目的とする。
【０００５】
【課題を解決するための手段】
本発明の冷却貯蔵庫は、ユニットベース上に圧縮機や凝縮器を配設して成る冷却ユニットを、断熱箱体の天面に設置して成るものにおいて、冷却ユニット上を覆うためのユニットカバーと、このユニットカバーの下縁部に設けられた取付部材と、この取付部材の上端をユニットカバー側に折り返して形成された保持部と、ユニットベースの周縁部に形成された上向きのフランジとを備え、ユニットカバーを、ユニットベースの上方から被せると共に、保持部の下端にフランジの上端を当接させ、その状態で取付部材とユニットカバー下縁部とでフランジを挟持することにより、当該ユニットカバーをユニットベースに取り付けたことを特徴とする。
【０００６】
本発明によれば、ユニットベース上に圧縮機や凝縮器を配設して成る冷却ユニットを、断熱箱体の天面に設置して成る冷却貯蔵庫において、冷却ユニット上を覆うためのユニットカバーと、このユニットカバーの下縁部に設けられた取付部材を備え、この取付部材とユニットカバー下縁部とでユニットベースの周縁部を挟持することにより、ユニットカバーをユニットベースに取り付けたので、ネズミなどの小動物がユニットベース上に侵入して配線などを損傷することを未然に回避することができるようになる。
【０００７】
特に、取付部材にはその上端をユニットカバー側に折り返して形成された保持部と、ユニットベースの周縁部には上向きのフランジが形成されており、ユニットカバーはユニットベースの上方から被せられ、保持部の下端にフランジの上端を当接させ、その状態でユニットカバーと取付部材にてフランジを挟持するので、容易且つ確実にユニットカバーをユニットベースに取り付けることができるようになる。
【０００８】
また、ユニットベースの周縁部に上向きのフランジが形成されている冷却貯蔵庫であれば、既存の冷却貯蔵庫であっても、容易にユニットカバーを取り付けることができるようになる。
【０００９】
請求項２の発明の冷却貯蔵庫は、請求項１の発明に加えてユニットカバーの下端は断熱箱体の天面から離間して取り付けられることを特徴とする。
【００１０】
請求項２の発明によれば、請求項１の発明に加えて、ユニットカバーの下端は断熱箱体の天面から離間して取り付けられるので、ユニットベース上の冷却ユニットの運転による振動によって、ユニットカバーが冷却貯蔵庫の天面に接触して生じる騒音を未然に防止することができるようになる。
【００１１】
請求項３の発明の冷却貯蔵庫は、請求項１又は請求項２の発明に加えて取付部材の下部はユニットカバーから徐々に離間するよう傾斜して屈曲されていることを特徴とする。
【００１２】
請求項３の発明によれば、請求項１又は請求項２の発明に加えて、取付部材の下部はユニットカバーから徐々に離間するよう傾斜して屈曲されているので、ユニットカバーの取付時に、ユニットベースのフランジを容易に取付部材に挿入することができ、組立作業性を向上させることができるようになる。
【００１３】
【発明の実施の形態】
次に、図面に基づき本発明の実施例を詳述する。図１は本発明の実施例のプレハブ冷蔵庫等の冷却貯蔵庫１の正面図を示している。尚、この図１において後述するユニットカバー１５は省略している。この冷却貯蔵庫１は、断熱箱体２によって構成されており、この断熱箱体２内には、図示しない貯蔵室が構成されている。この断熱箱体２は隣り合うパネルとの結合部分に凸部或いは凹部を有した断熱パネル４を組み合わせて箱状に構成されている。
【００１４】
また、断熱箱体２の前壁には貯蔵食品等の物品を出し入れする物品出入口及びこの物品出入口の一側を回動自在に枢支し開閉自在に閉塞すると共に、前記貯蔵室を密閉化する断熱扉５が設けられている。
【００１５】
そして、断熱箱体２の天壁（天井面）２Ａには矩形状の図示しない開口が形成されており、この開口を上から閉塞する形で断熱板にて構成されるユニットベース７が取り付けられる。このユニットベース７上面には、冷却装置Ｒを構成する圧縮機８、凝縮器９、凝縮機用送風機１０及び電装箱１１が設置されると共に、ユニットベース７の下面には圧縮機８等と共に周知の冷凍サイクルを構成する冷却器１２が取り付けられている。そして、冷却器１２を取り付けた状態でユニットベース７は図１に示す如く前記開口周辺に載置され、これによって開口は閉塞されると共に、冷却器１２は前記貯蔵室内上部に配置される。
【００１６】
また、前記貯蔵室内に配置された冷却器１２の下側には冷却器１２から滴下する露や除霜水を受容するためのドレンパン１３が配設される。このドレンパン１３は、係る露や除霜水を外部に排出するために、下面に図示しない排出用開口が形成されており、この排出用開口に取り付けられた図示しないドレンソケットに接続された図示しないドレンホースによって外部に排水される。
【００１７】
一方、前記ユニットベース７の周縁部には、上向きのフランジ１４が形成されている。そして、このユニットベース７の上方には、ユニットカバー１５が取り付けられる。ここで、図２乃至図４を参照して、ユニットカバー１５について説明する。このユニットカバー１５は、例えば鋼板製材料によって構成されると共に、下面に開放する矩形体を呈しており、前記下面の開口寸法は、前記ユニットベース７の外形寸法より少許大きい寸法とされている。また、ユニットベース７上の例えば後部に載置される凝縮器９に面するユニットカバー１５の後面には凝縮器９の廃熱を促すための開口１６が形成されている。更に、このユニットカバー１５の前面、天面及び側面には冷却装置Ｒの廃熱を外部に排出するための孔１７が複数形成されている。
【００１８】
図２において、１８はユニットカバー１５の取付部材である。この取付部材１８は、前記ユニットカバー１５の奥行き寸法よりも小さい寸法の板状の本体２１と図３の断面図に示す如き上端が前後にわたってユニットカバー１５側に折り返して形成される保持部１９と、取付部材１８の下端が前後にわたってユニットカバー１５から徐々に離間するように傾斜して屈曲される案内部２０とにより構成されている。
【００１９】
そして、取付部材１８の保持部１９及び本体２１には、それぞれネジ止め用の孔２２が複数形成されており、保持部１９に形成される孔と本体２１に形成される孔２２は、合致して形成されている。また、ユニットカバー１５の側面下部にも、取付部材１８に形成された孔２２と合致するための図示しない孔が複数形成されている。
【００２０】
以上の構成により、ユニットカバー１５をユニットベース７に取り付ける際には、先ず始めに取付部材１８の保持部１９をユニットカバー１５の側面の内側下部に当接させ、ユニットカバー１５の外方からネジ２３にて、一旦軽くユニットカバー１５に取付部材１８を固定する。このとき、ユニットカバー１５の側面と取付部材１８の保持部１９との間には、少許間隔を存する。
【００２１】
その後、ユニットベース７の上方から、ユニットベース７の外周縁に形成されたフランジ１４をユニットカバー１５の側面と取付部材１８との間に挿入する。このとき、取付部材１８の下端には、案内部２０が形成されているため、ユニットベース７のフランジ１４を容易に取付部材１８に挿入することができ、組立作業性を向上させることができる。
【００２２】
また、ユニットカバー１５は、フランジ１４の上端が取付部材１８の保持部１９の下端に当接するまで挿入し、前記ネジ２３を完全に締め付けることによって、フランジ１４は図４に示す如くユニットカバー１５の側面と取付部材１８の本体２１との間に挟持される。
【００２３】
このとき、ユニットカバー１５の下端は、断熱箱体２の天壁２Ａと離間して取り付けられるため、冷却装置Ｒが運転されることによって生じるユニットカバー１５の振動を、断熱箱体２の天壁２Ａに伝達することを未然に回避することができ、騒音の発生を防止することができる。
【００２４】
冷却装置Ｒを配置したユニットベース７上にユニットカバー１５を取り付けたことにより、圧縮機８や送風機１０などにネズミなどの小動物が侵入して配線などを損傷することを未然に回避することができる。
【００２５】
また、本発明のユニットカバー１５は、取付部材１８にてユニットベース７に取り付けることにより、既存の冷却貯蔵庫のユニットベースにも容易に取り付けることができる。
【００２６】
【発明の効果】
以上詳述した如く本発明によれば、ユニットベース上に圧縮機や凝縮器を配設して成る冷却ユニットを、断熱箱体の天面に設置して成る冷却貯蔵庫において、冷却ユニット上を覆うためのユニットカバーと、このユニットカバーの下縁部に設けられた取付部材を備え、この取付部材とユニットカバー下縁部とでユニットベースの周縁部を挟持することにより、ユニットカバーをユニットベースに取り付けたので、ネズミなどの小動物がユニットベース上に侵入して配線などを損傷することを未然に回避することができるようになる。
【００２７】
特に、取付部材にはその上端をユニットカバー側に折り返して形成された保持部と、ユニットベースの周縁部には上向きのフランジが形成されており、ユニットカバーはユニットベースの上方から被せられ、保持部の下端にフランジの上端を当接させ、その状態でユニットカバーと取付部材にてフランジを挟持するので、容易且つ確実にユニットカバーをユニットベースに取り付けることができるようになる。
【００２８】
また、ユニットベースの周縁部に上向きのフランジが形成されている冷却貯蔵庫であれば、既存の冷却貯蔵庫であっても、容易にユニットカバーを取り付けることができるようになる。
【００２９】
請求項２の発明によれば、請求項１の発明に加えて、ユニットカバーの下端は断熱箱体の天面から離間して取り付けられるので、ユニットベース上の冷却ユニットの運転による振動によって、ユニットカバーが冷却貯蔵庫の天面に接触して生じる騒音を未然に防止することができるようになる。
【００３０】
請求項３の発明によれば、請求項１又は請求項２の発明に加えて、取付部材の下部はユニットカバーから徐々に離間するよう傾斜して屈曲されているので、ユニットカバーの取付時に、ユニットベースのフランジを容易に取付部材に挿入することができ、組立作業性を向上させることができるようになる。
【図面の簡単な説明】
【図１】  本発明の冷却貯蔵庫の正面図である。
【図２】  冷却ユニット及びユニットカバーの分解斜視図である。
【図３】  ユニットカバー取付時のユニットベースの部分拡大断面図である。
【図４】  ユニットカバー装着時のユニットバースの部分拡大断面図である。
【符号の説明】
Ｒ  冷却装置
１  冷却貯蔵庫
２  断熱箱体
２Ａ  天壁
４  断熱パネル
５  断熱扉
７  ユニットベース
８  圧縮機
９  凝縮器
１０  凝縮器用送風機
１１  電装箱
１２  冷却器
１３  ドレンパン
１４  フランジ
１５  ユニットカバー
１６  開口
１７、２２  孔
１８  取付部材
１９  保持部
２０  案内部
２１  本体
２３  ネジ
【図１】
0003857856.tif 000002
【図２】
0003857856.tif 000003
【図３】
0003857856.tif 000004
【図４】
0003857856.tif 000005